(57)【要約】【課題】簡素な構成で、係止部がかつら装着者の地毛に絡みやすいかつら取付具及びかつらを提供する。【解決手段】かつら取付具１は、シート状のベース部１０と、このベース部１０の１辺から突出するようにこの１辺に沿って配列され、かつら装着者の地毛を係止する複数の係止部２０と、を備え、これらの複数の係止部２０は、ベース部１０からの突出長さ（Ｌ１，Ｌ２，Ｌ３，Ｌ４）が互いに異なる２つ以上の係止部２０（Ｌ１），２０（Ｌ２），２０（Ｌ３），２０（Ｌ４）を含む。【選択図】図１
2017082365.tif 000002
【特許請求の範囲】
【請求項１】
シート状のベース部と、
前記ベース部の１辺から突出するように該１辺に沿って配列され、かつら装着者の地毛を係止する複数の係止部と、を備え、
前記複数の係止部は、前記ベース部からの突出長さが互いに異なる２つ以上の係止部を含む、
ことを特徴とするかつら取付具。
【請求項２】
前記複数の係止部は、前記突出長さが前記係止部ごとに長くなるのと短くなるのとを繰り返すように配列されていることを特徴とする請求項１記載のかつら取付具。
【請求項３】
前記複数の係止部は、前記突出長さが第１の長さ、第２の長さ、第３の長さ、第４の長さの順となるように配列された計４つ１組の前記係止部が複数組配列され、
前記第１の長さ及び前記第３の長さは、前記第２の長さ及び前記第４の長さよりも長く、
前記第２の長さは、前記第４の長さよりも長い、
ことを特徴とする請求項２記載のかつら取付具。
【請求項４】
前記ベース部及び前記複数の係止部は、一体に形成され、
前記ベース部は、ネット素材からなるネット部材を有し、
前記複数の係止部は、前記ネット部材を構成し該ネット部材から突出する第１の線状部材の一部である、
ことを特徴とする請求項１から３のいずれか１項記載のかつら取付具。
【請求項５】
前記複数の係止部は、ネット素材から前記第１の線状部材に交差する第２の線状部材を引き抜かれることで前記第２の線状部材との交差部分に残る凸部を含むことを特徴とする請求項４記載のかつら取付具。
【請求項６】
毛髪が植毛されたかつらベースと、
前記かつらベースに固定された、請求項１から５のいずれか１項記載のかつら取付具と、
を備えることを特徴とするかつら。
【発明の詳細な説明】
【技術分野】
【０００１】
本発明は、シート状のベース部と、かつら装着者の地毛を係止する複数の係止部と、を備えるかつら取付具、及び、かつら取付具を備えるかつらに関する。
【背景技術】
【０００２】
従来、かつらストッパを用いてかつらをかつら装着者の地毛に固定する手法が知られている。このかつらストッパとしては、凹状と凸状とに反転可能なベース部を反転させることで、挟持ピンによりかつら装着者の地毛を挟み込むかつらストッパが知られている（例えば、特許文献１参照）。
【０００３】
上記のかつらストッパは、かつら装着者の地毛を挟み込む作業を伴うため、かつらの固定に時間を要することになる。また、場合によっては、かつら装着者の地毛を傷めるおそれがある。そこで、シート状のベース部の厚み方向に延びる複数の第１の係止部と、ベース部の厚み方向に交差する方向に延びる複数の第２の係止部とによって、かつら装着者の地毛を係止するかつら取付具が提案されている（例えば、特許文献２参照）。
【先行技術文献】
【特許文献】
【０００４】
【特許文献１】特開昭５６−１６５００５号公報
【特許文献２】特開２０１４−１８９９３９号公報
【発明の概要】
【発明が解決しようとする課題】
【０００５】
凹状と凸状とに反転可能なベース部を備える上記のかつらストッパは、金属材料又はプラスチック材料から形成され、且つ、反転のための構造を備えるため、かさ張ったり、構造が複雑化したりする。
【０００６】
また、それぞれ複数の第１の係止部及び第２の係止部を備える上記のかつら取付具は、人の頭皮に沿った方向にかつら装着者の地毛に差し込まれる第２の係止部に関して、同一の第２の係止部が単純に配列されているため、かつら装着者の地毛に絡みにくいという問題がある。
【０００７】
本発明の目的は、簡素な構成で、係止部がかつら装着者の地毛に絡みやすいかつら取付具及びかつらを提供することである。
【課題を解決するための手段】
【０００８】
１つの観点では、かつら取付具は、シート状のベース部と、前記ベース部の１辺から突出するように該１辺に沿って配列され、かつら装着者の地毛を係止する複数の係止部と、を備え、前記複数の係止部は、前記ベース部からの突出長さが互いに異なる２つ以上の係止部を含む。
【０００９】
また、前記かつら取付具において、前記複数の係止部は、前記突出長さが前記係止部ごとに長くなるのと短くなるのとを繰り返すように配列されているとよい。
また、前記かつら取付具において、前記複数の係止部は、前記突出長さが第１の長さ、第２の長さ、第３の長さ、第４の長さの順となるように配列された計４つ１組の前記係止部が複数組配列され、前記第１の長さ及び前記第３の長さは、前記第２の長さ及び前記第４の長さよりも長く、前記第２の長さは、前記第４の長さよりも長いとよい。
【００１０】
また、前記かつら取付具において、前記ベース部及び前記複数の係止部は、一体に形成され、前記ベース部は、ネット素材からなるネット部材を有し、前記複数の係止部は、前記ネット部材を構成し該ネット部材から突出する第１の線状部材の一部であるとよい。
【００１１】
また、前記かつら取付具において、前記複数の係止部は、ネット素材から前記第１の線状部材に交差する第２の線状部材を引き抜かれることで前記第２の線状部材との交差部分に残る凸部を含むとよい。
【００１２】
他の観点では、かつらは、毛髪が植毛されたかつらベースと、前記かつらベースに固定された前記かつら取付具と、を備える。
【発明の効果】
【００１３】
本発明によれば、簡素な構成で、係止部がかつら装着者の地毛に絡みやすいかつら取付具及びかつらを提供することができる。
【図面の簡単な説明】
【００１４】
【図１】本発明の一実施の形態に係るかつら取付具を示す平面図である。
【図２】図１のＡ部拡大図である。
【図３】本発明の一実施の形態に係るかつらの内側の一部を示す斜視図である。
【発明を実施するための形態】
【００１５】
以下、本発明の一実施の形態に係るかつら取付具１及びかつら１００について、図面を参照しながら説明する。
図１は、本発明の一実施の形態に係るかつら取付具１を示す平面図である。
【００１６】
図１に示すかつら取付具１は、シート状のベース部１０と、このベース部１０の１辺（図１においては、上下方向に延びる右端の辺）から突出するように上記１辺に沿って配列された複数の係止部２０と、を備える。
【００１７】
ベース部１０は、ネット素材からなるネット部材１１と、このネット部材１１に貼り付けられた例えば３本の帯状部材１２と、を有する。
ネット部材１１は、一部において上記複数の係止部２０をなす第１の線状部材と、この第１の線状部材（複数の係止部２０）と交差するように設けられた第２の線状部材１１ａと、によって網状を呈する。つまり、複数の係止部２０は、ネット部材１１を構成する第１の線状部材の一部である。また、ベース部１０及び複数の係止部２０は、一体に形成されているといえる。なお、第１の線状部材（係止部２０）及び第２の線状部材１１ａは、例えば、ポリエステルやナイロンなどの合成樹脂である。
【００１８】
帯状部材１２には、ベース部１０の厚み方向に延び、かつら装着者の地毛を係止する複数の係止部が設けられている。この係止部は、例えば、面ファスナーの雄型部分、フック状部材、先端に膨出部分を有する棒状部材（例えば、マッシュルーム型やＴ字型）などである。
【００１９】
複数の係止部２０は、例えばベース部１０の厚み方向に直交する方向に延び、かつら装着者の地毛を係止する。なお、複数の係止部２０が延びる方向は、ベース部１０の厚み方向よりもベース部１０の厚み方向に直交する方向に近い角度であることが望ましい。
【００２０】
また、複数の係止部２０は、ベース部１０（ネット部材１１）からの突出長さ（Ｌ１，Ｌ２，Ｌ３，Ｌ４）が互いに異なる２つ以上の係止部を含む。
図１に示すように、複数の係止部２０は、第１の長さの一例である突出長さＬ１、第２の長さの一例である突出長さＬ２、第３の長さの一例である突出長さＬ３、第４の長さの一例である突出長さＬ４の順となるように配列された計４つ１組の係止部２０（Ｌ１），２０（Ｌ２），２０（Ｌ３），２０（Ｌ４）が複数組、例えば連続的に、配列されている。
【００２１】
ここで、突出長さＬ１及び突出長さＬ３は、突出長さＬ２及び突出長さＬ４よりも長い。そのため、複数の係止部２０は、突出長さが係止部２０ごとに長くなる（Ｌ１，Ｌ３）のと短くなる（Ｌ２，Ｌ４）のとを繰り返すように配列されているといえる。
【００２２】
また、突出長さＬ２は、突出長さＬ４よりも長い。なお、突出長さＬ１及び突出長さＬ３は、同一でなくともよいが、例えば同一の長さである。一例ではあるが、突出長さＬ１及び突出長さＬ３は８ｍｍであり、突出長さＬ２は５ｍｍであり、突出長さＬ４は３ｍｍである。また、同様に一例ではあるが、ベース部１０は、複数の係止部２０の配列方向（図１における上下方向）の長さが約４０ｍｍであり、複数の係止部２０の突出方向（図１における左右方向）の長さが約１０ｍｍである。また、同様に一例ではあるが、複数の係止部２０の間隔は、例えば１ｍｍ〜１．５ｍｍ程度である。なお、複数の係止部２０の間隔は、突出長さＬ１及び突出長さＬ３と、突出長さＬ２或いは突出長さＬ４との差よりも小さいことが望ましい。
【００２３】
図２は、図１のＡ部拡大図である。
図２に示すように、係止部２０は、ネット部材１１を構成するネット素材から第２の線状部材１１ａを引き抜かれることで（図２では想像線（二点鎖線）で示す引き抜かれた第２の線状部材１１ａを括弧付きの（１１ａ）で示す）、第２の線状部材（１１ａ）との交差部分に残る凸部２０ａを含む。なお、第１の線状部材と第２の線状部材１１ａとは、例えば超音波融着により固定されるが、第２の線状部材（１１ａ）が引き抜かれるのは、固定前の第１の線状部材と第２の線状部材１１ａとが例えば圧着された状態で行われるとよい。ここで、第２の線状部材１１ａが第１の線状部材の上下に這うように位置するのではなく第１の線状部材の上に載せられたように位置する場合に、第２の線状部材１１ａが第１の線状部材から剥がされる場合も、引き抜かれる態様に含まれるものとする。
【００２４】
図３は、本発明の一実施の形態に係るかつら１００の内側の一部を示す斜視図である。
図３に示すかつら１００は、例えば人工毛髪又は人毛である毛髪１０２が植毛されたかつらベース１０１と、例えば複数の上述のかつら取付具１と、を備える。なお、かつら１００をかつら装着者の地毛に強固に取り付ける観点では、かつら１００が、公知のかつらストッパを更に備えてもよい。この公知のかつらストッパは、例えば、凹状と凸状とに反転可能なベース部を反転させることで、挟持ピンによりかつら装着者の地毛を挟み込むかつらストッパである。
【００２５】
かつら取付具１は、かつらベース１０１の例えば内側周縁に固定されている。複数の係止部２０は、かつら１００の頭頂部に向くように突出することで、かつら装着者の地毛の向きと反対方向となり、かつら装着者の地毛に絡みやすくなる。
【００２６】
なお、上述の説明において、複数の係止部２０は、ベース部１０の１辺から突出するようにこの１辺に沿って配列されているが、他の辺から突出する係止部が更に設けられてもよい。
【００２７】
また、上述の説明において、複数の係止部２０は、ネット部材１１（ベース部）と一体であるが、ベース部１０とは別体に設けられていてもよい。また、複数の係止部２０は、金属材料、硬質のプラスチック材料などから形成されていてもよい。
【００２８】
また、上述の説明において、帯状部材１２には、ベース部１０の厚み方向に延び、かつら装着者の地毛を係止する複数の係止部が設けられているが、ベース部１０の厚み方向に延びる複数の係止部（帯状部材１２）は省略してもよい。
【００２９】
以上説明した本実施の形態では、かつら取付具１は、シート状のベース部１０と、このベース部１０の１辺から突出するようにこの１辺に沿って配列され、かつら装着者の地毛を係止する複数の係止部２０と、を備える。また、複数の係止部２０は、ベース部１０からの突出長さが互いに異なる２つ以上の係止部を含む。
【００３０】
そのため、係止部２０の突出方向において、互いに突出長さが異なる係止部２０の間隔（配列方向の隙間）と突出長さの違いとにより生じる空間にかつら装着者の地毛が挿入されやすくなり、係止部２０がかつら装着者の地毛に絡みやすくなる。また、ベース部１０の１辺に沿って複数の係止部２０が配列された簡素な構成で、係止部２０をかつら装着者の地毛と絡ませることができる。よって、本実施の形態によれば、簡素な構成で、係止部２０をかつら装着者の地毛に絡みやすくすることができる。
【００３１】
また、本実施の形態では、複数の係止部２０は、突出長さが係止部２０ごとに長く（突出長さＬ１及び突出長さＬ３）なるのと短くなる（突出長さＬ２及び突出長さＬ４）のとを繰り返すように配列されている。これにより、隣接する２つの係止部２０間の全ての上記の空間にかつら装着者の地毛が挿入されやすくなるため、一層、係止部２０をかつら装着者の地毛に絡みやすくすることができる。
【００３２】
また、本実施の形態では、複数の係止部２０は、突出長さが、第１の長さの一例である突出長さＬ１、第２の長さの一例である突出長さＬ２、第３の長さの一例である突出長さＬ３、第４の長さの一例である突出長さＬ４の順となるように配列された計４つ１組の係止部２０（Ｌ１），２０（Ｌ２），２０（Ｌ３），２０（Ｌ４）が複数組配列されている。また、突出長さＬ１及び突出長さＬ３は、突出長さＬ２及び突出長さＬ４よりも長く、突出長さＬ２は、突出長さＬ４よりも長い。これにより、上記の空間の形状が、係止部２０の配列方向に亘って変化するため、より一層、係止部２０をかつら装着者の地毛に絡みやすくすることができる。
【００３３】
また、本実施の形態では、ベース部１０及び複数の係止部２０は、一体に形成され、ベース部１０は、ネット素材からなるネット部材１１を有し、複数の係止部２０は、ネット部材１１を構成しネット部材１１から突出する第１の線状部材の一部である。そのため、従来は、かつら取付具の部品点数が多いなど複雑な構成となり、ひいては製造に手間がかかっていたが、一層簡素な構成にすることができる。
【００３４】
また、本実施の形態では、複数の係止部２０は、ネット素材から第１の線状部材に交差する第２の線状部材１１ａを引き抜かれることで第２の線状部材１１ａとの交差部分に残る凸部２０ａを含む。このように係止部２０に凸部２０ａが設けられることによって、一層、係止部２０をかつら装着者の地毛に絡みやすくすることができる。
【符号の説明】
【００３５】
１      かつら取付具
１０      ベース部
１１      ネット部材
１１ａ      第２の線状部材
１２      帯状部材
２０      係止部（第１の線状部材）
２０ａ      凸部
１００      かつら
１０１      かつらベース
１０２      毛髪
【図１】
2017082365.tif 000003
【図２】
2017082365.tif 000004
【図３】
2017082365.tif 000005
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
シート状のベース部と、
前記ベース部の１辺から突出するように該１辺に沿って配列され、配列方向の隙間にかつら装着者の地毛が挿入されることで当該かつら装着者の地毛を係止する複数の係止部と、を備え、
前記複数の係止部は、前記ベース部からの突出長さが互いに異なる２つ以上の係止部を含み、前記突出長さが前記係止部ごとに長くなるのと短くなるのとを繰り返すように配列されている、
ことを特徴とするかつら取付具。
【請求項２】
前記複数の係止部は、前記突出長さが第１の長さ、第２の長さ、第３の長さ、第４の長さの順となるように配列された計４つ１組の前記係止部が複数組配列され、
前記第１の長さ及び前記第３の長さは、前記第２の長さ及び前記第４の長さよりも長く、
前記第２の長さは、前記第４の長さよりも長い、
ことを特徴とする請求項１記載のかつら取付具。
【請求項３】
前記ベース部及び前記複数の係止部は、一体に形成され、
前記ベース部は、ネット素材からなるネット部材を有し、
前記複数の係止部は、前記ネット部材を構成し該ネット部材から突出する第１の線状部材の一部である、
ことを特徴とする請求項１又は２記載のかつら取付具。
【請求項４】
前記複数の係止部は、ネット素材から前記第１の線状部材に交差する第２の線状部材を引き抜かれることで前記第２の線状部材との交差部分に残る凸部を含むことを特徴とする請求項３記載のかつら取付具。
【請求項５】
毛髪が植毛されたかつらベースと、
前記かつらベースに固定された、請求項１から４のいずれか１項記載のかつら取付具と、
を備えることを特徴とするかつら。